(57)【要約】【課題】後処理として水洗をしなくとも、高純度のバイオディーゼル燃料を製造しうる方法を提供する。【解決手段】下記の工程：（ｉ）廃食油をアルカリ触媒の存在下で直鎖低級アルコールと反応させてバイオディーゼル燃料を製造する際に副生される廃グリセリンと、原料として用いる廃食油とを混合した後、グリセリン相を除去する前処理工程；及び（ii）廃食油にアルカリ触媒及び直鎖低級アルコールを加え、エステル交換反応を行い、副生したグリセリン相を分離するエステル交換反応工程を含むバイオディーゼル燃料の製造方法；前記方法において（ii）のエステル交換反応工程を二段反応で行う方法；並びに前記方法において（ii）のエステル交換反応工程でグリセリン相を分離して得られる粗製バイオディーゼル燃料とグリセリンとを混合した後、グリセリン相を分離して、バイオディーゼル燃料を得る方法。【選択図】なし【特許請求の範囲】
【請求項１】
下記の工程：
（ｉ）廃食油をアルカリ触媒の存在下で直鎖低級アルコールと反応させてバイオディーゼル燃料を製造する際に副生される廃グリセリンと、原料として用いる廃食油とを混合した後、グリセリン相を除去する前処理工程；及び
（ii）廃食油にアルカリ触媒及び直鎖低級アルコールを加え、エステル交換反応を行い、副生したグリセリン相を分離するエステル交換反応工程
を含むバイオディーゼル燃料の製造方法。
【請求項２】
直鎖低級アルコールがメタノール又はエタノールである請求項１記載の方法。
【請求項３】
前処理に用いる廃グリセリンがアルカリ触媒を含む請求項１又は２記載の方法。
【請求項４】
前記（ii）のエステル交換反応工程を二段反応で行う請求項１〜３のいずれか１項に記載の方法。
【請求項５】
前記（ii）のエステル交換反応工程で分離されたグリセリン相を前記（ｉ）の前処理工程の廃グリセリンとして用いる請求項１〜４のいずれか１項に記載の方法。
【請求項６】
前記（ii）のエステル交換反応工程でグリセリン相を分離して得られる粗製バイオディーゼル燃料とグリセリンとを混合した後、グリセリン相を分離して、バイオディーゼル燃料を得る請求項１〜５のいずれか１項に記載の方法。
【請求項７】
粗製バイオディーゼル燃料とグリセリンとを混合した後、グリセリン相を分離して、バイオディーゼル燃料を得ることを含むバイオディーゼル燃料の精製方法。
【発明の詳細な説明】
【技術分野】
【０００１】
本発明は、バイオディーゼル燃料の製造方法に関する。
【背景技術】
【０００２】
バイオディーゼル燃料とは植物油とメタノール等の直鎖低級アルコールを原料として、適当な触媒を作用させることによって得られる燃料であり、軽油の代替燃料として世界的に注目を集めている。国内では廃食油を原料とした取り組みが多くなされている。比較的簡単に製造できるが、原料や製造方法が不適切な場合には、使用する車の故障を引き起こすこともある。
【０００３】
廃食油には脂肪酸や水分が多く含まれるため、反応を行うとアルカリ触媒である水酸化カリウム等が脂肪酸と反応して触媒量が減少し、反応速度が低下し未反応分が多くなる。また、原料の廃食油中の水分が多い場合には、アルカリ触媒によって、原料である油脂や生成したバイオディーゼル燃料からセッケンを生成するため、収率の低下をまねく。
【０００４】
一般的には、廃食油に含まれる脂肪酸を中和する量の触媒を余分に添加して反応をさせる。しかしながら、アルカリ触媒の量を増やすことによって副反応であるセッケンの生成も進行する。したがって、この方法では、後処理として水洗が必要になり、廃水処理にかかるコストが高く、廃水処理に大きなエネルギーを要するため、効果的な方法ではない（例えば、特許文献１）。
【０００５】
【特許文献１】特開平１０−１８２５１８号公報
【発明の開示】
【発明が解決しようとする課題】
【０００６】
本発明の課題は、後処理として水洗をしなくとも、高純度のバイオディーゼル燃料を製造しうる方法を提供することである。
【課題を解決するための手段】
【０００７】
本発明の要旨は以下のとおりである。
（１）下記の工程：
（ｉ）廃食油をアルカリ触媒の存在下で直鎖低級アルコールと反応させてバイオディーゼル燃料を製造する際に副生される廃グリセリンと、原料として用いる廃食油とを混合した後、グリセリン相を除去する前処理工程；及び
（ii）廃食油にアルカリ触媒及び直鎖低級アルコールを加え、エステル交換反応を行い、副生したグリセリン相を分離するエステル交換反応工程
を含むバイオディーゼル燃料の製造方法。
（２）直鎖低級アルコールがメタノール又はエタノールである前記（１）に記載の方法。
（３）前処理に用いる廃グリセリンがアルカリ触媒を含む前記（１）又は（２）に記載の方法。
（４）前記（ii）のエステル交換反応工程を二段反応で行う前記（１）〜（３）のいずれかに記載の方法。
（５）前記（ii）のエステル交換反応工程で分離されたグリセリン相を前記（ｉ）の前処理工程の廃グリセリンとして用いる前記（１）〜（４）のいずれかに記載の方法。
（６）前記（ii）のエステル交換反応工程でグリセリン相を分離して得られる粗製バイオディーゼル燃料とグリセリンとを混合した後、グリセリン相を分離して、バイオディーゼル燃料を得る前記（１）〜（５）のいずれかに記載の方法。
（７）粗製バイオディーゼル燃料とグリセリンとを混合した後、グリセリン相を分離して、バイオディーゼル燃料を得ることを含むバイオディーゼル燃料の精製方法。
【発明の効果】
【０００８】
本発明によれば、後処理として水洗をしなくとも、高純度のバイオディーゼル燃料を製造することができる。
【発明を実施するための最良の形態】
【０００９】
本発明のバイオディーゼル燃料の製造方法において原料として用いる廃食油は、バイオディーゼル燃料の原料となりうるものであれば、特に制限はなく、例えば、菜種油、ひまわり油、大豆油、パーム油、サラダ油、オリーブ油等の植物油脂の廃食油を含むものが挙げられる。
【００１０】
前処理前の廃食油の酸価は、通常５以下、好ましくは３以下であり、水分量は、通常０．５重量％以下、好ましくは０．２重量％以下である。ここで、酸価とは油脂１ｇに含まれている遊離脂肪酸を中和するのに必要な水酸化カリウムのｍｇ数をいい、この値は、油脂によって一定のものではなく、その純度や保存状態の良否によっても異なるため、油脂の品位を決定するのに大切な特性値の一つである。
【００１１】
廃グリセリン（副生グリセリン）は、バイオディーゼル燃料を製造する際に副生される不要物質であり、通常は廃棄されるのみである。しかし、この中には触媒として用いられた水酸化カリウムなどのアルカリ成分が含まれているため、廃食油と混合撹拌することによって廃食油中の脂肪酸と反応して、それらを取り除くことが可能である。また、廃グリセリンには反応で使われなかった余剰のメタノールも含まれているため、前処理でバイオディーゼル燃料生成反応が進行して収率向上に寄与することも考えられる。更に、グリセリンは水も溶解するため、廃グリセリンによる前処理により、廃食油に含まれる水分の量も低減することもできることが分かった。このように、脂肪酸と水分の量を低減させることによって、廃食油からバイオディーゼル燃料を生成する際に未反応分を低減させることが容易になる。すなわち、触媒及びメタノール等の直鎖低級アルコールの量を低減した上で、収率を維持することができる。また、この前処理剤は反応によって必ず生じる物質であるため、コストはかからない。
【００１２】
前処理に用いられる廃グリセリン中のアルカリ金属（カリウム、ナトリウムなど）の濃度は、通常２〜１０重量％、好ましくは４〜８重量％であり、水分量は、通常５重量％以下、好ましくは２重量％以下である。
【００１３】
前処理に用いる廃グリセリンの使用量は、原料として用いる廃食油１００重量部に対して、通常５〜２０重量部、好ましくは１０〜１５重量部である。前処理における処理温度は、通常３０〜６５℃、好ましくは３５〜５５℃であり、混合撹拌時間は、通常５分〜１時間、好ましくは１０分〜３０分である。
【００１４】
廃食油と廃グリセリンを混合撹拌した後、静置（静置時間は、通常３０分〜８時間、好ましくは１時間〜６時間）又は遠心分離（通常２０分以下）することによってグリセリンの相が下、食油の相が上に分離する。そこから上の相である食油を、比重差を利用した分離により取り出してエステル交換反応に供する。前処理により、廃食油の酸価及び水分量は低下する。廃グリセリンに精製グリセリンや水酸化カリウム等のアルカリ金属水酸化物を添加すると更に効果は向上する。
【００１５】
前記（ii）のエステル交換反応工程に用いるアルカリ触媒としては、バイオディーゼル燃料の製造に用いうるものであれば、特に制限はなく、例えば、水酸化カリウム、水酸化ナトリウム等のアルカリ金属水酸化物が挙げられる。直鎖低級アルコールとしては、バイオディーゼル燃料の製造に用いうるものであれば、特に制限はなく、例えば、メタノール、エタノールが挙げられる。
【００１６】
反応温度は、通常３０〜６５℃、好ましくは３５〜５５℃であり、反応時間は、通常２０〜９０分、好ましくは３０〜６０分である。
【００１７】
現在、京都市が有するような大きなプラントにおいては、製造された燃料の組成も分析してヨーロッパの規格と同等の規格を満たすことを目標に製造している。その一方で国内では、地方自治体や廃棄物処理業者、運送業者等が小規模なプラントを購入してバイオディーゼル燃料の製造を行っている。このような小規模なプラントにおいても、製造方法を工夫して質のよい燃料を製造することが必要である。
【００１８】
小規模装置を用いる場合にもヨーロッパ等の品質規格と同等の品質をもったバイオディーゼル燃料（以下、場合により「ＢＤＦ」という。）を製造できる方法が望まれている。ＢＤＦの主な成分は脂肪酸のメチルエステル（ＭＥ）等のアルキルエステルであり、植物油脂を中心とした廃油から製造する限りは、適切な反応プロセス及び精製システムがあれば規格を満足できるものと考えられる。しかし、小規模装置においては、コストと品質のバランスが問題となる。
【００１９】
主な不純物として考えられるものは、原料である植物油脂の主成分であるトリグリセリド（ＴＧ）、中間生成物であるジグリセリド（ＤＧ）及びモノグリセリド（ＭＧ）、廃油に多く含まれる脂肪酸や水分、ＢＤＦを製造する際の一方の原料成分であるメタノール、副生成物であるグリセリン、更には触媒として使用する水酸化カリウムとそれから生成する脂肪酸のカリウム塩（セッケン）などが考えられる。
【００２０】
これらの成分を製品であるＢＤＦから除くには、反応プロセスにおいて濃度を下げられる物質と、後工程である分離プロセスにおいて除去すべき物質とに分けられる。したがって、それぞれに対応した方法を採用することが好ましい。
【００２１】
以上のことから、廃食油を原料として、前記の不純物が粗製ＢＤＦに含まれないような反応プロセスを採用することが好ましい。そのためには、図１に示す反応経路においてＭＥを１００％近く得ることができればよい。この反応は逐次反応であることから、中間生成物であるジグリセリド及びモノグリセリドが残らないように反応時間を長く取るなどの方法が考えられる。しかし、生成した低級アルキルエステル（例えば、メチルエステル）は触媒と反応して脂肪酸のカリウム塩（セッケン）になるので、反応時間を長くすることは好ましくない。
【００２２】
ヨーロッパの規格においては、ＴＧ、ＤＧ及びＭＧの濃度はそれぞれ、０．２％以下、０．２％以下、０．８％以下にしなければならず、全グリセリンで０．２５％以下とされている。一方、米国の規格（ＡＳＴＭＤ６７５１）では、個別の濃度は示されておらず、全グリセリンとして０．２４％以下とされている。
【００２３】
ＴＧ、ＤＧ及びＭＧの合計濃度を１．２％以下にするために、通常は反応原料の一つであるメタノール等の低級アルコールを過剰に加えて反応を行い、反応しなかった過剰の低級アルコールは反応終了後に蒸留等によって分離している。
【００２４】
しかしながら、この方法では蒸留といった操作が必要となり、加熱のコストなどがかかる。
そこで、ＴＧ、ＤＧ及びＭＧの合計濃度を１．２％以下にすることを目標として、二段で反応を行い、反応原料の一つである低級アルコールの使用量を少なくしながらも、油の未反応分を低減する反応操作について検討を行った。
【００２５】
この方法では、二段階で回分反応を行った際に、未反応分を規格値以下に抑えられ、例えば、低級アルコール量は通常の１／２程度、過剰低級アルコール量は通常の１／３以下となり、低級アルコールを分離するための余分なプロセスが不要となる。この方法においては、前述したように前処理した廃食油を原料として使用することによって、より効果が高くなる。
【００２６】
二段反応における低級アルコールの使用量は、原料として用いる廃食油１ｋｇ当たり、メタノールの場合、一段目反応では、通常１２０〜１６０ｇ、好ましくは１３０〜１５０ｇであり、二段目反応では、通常１５〜５０ｇ、好ましくは２０〜４０ｇであり、エタノールの場合、一段目反応では、通常１８０〜２２０ｇ、好ましくは１９０〜２１０ｇであり、二段目反応では、通常２５〜６５ｇ、好ましくは３５〜５５ｇである。
【００２７】
また、一段目反応における反応温度は、通常３０〜６５℃、好ましくは３５〜５５℃であり、反応時間は、通常２０〜９０分、好ましくは３０〜６０分であり、二段目反応における反応温度は、通常３０〜６５℃、好ましくは３５〜５５℃であり、反応時間は、通常２０〜９０分、好ましくは３０〜６０分である。
【００２８】
エステル交換反応により副生したグリセリン相は、例えば比重差によって分離され、必要に応じて、精製することなく、そのまま前処理工程の廃グリセリンとして用いられ、また、例えば蒸留により精製すると、後述する後処理（精製工程）で用いることが可能である。
【００２９】
また、二段目反応においては、反応の終了時に後述する後処理で使用するグリセリンを添加することによって、過剰な低級アルコール、触媒、セッケンをグリセリン相に溶解することができ、反応後の分離を容易にすることができる。
【００３０】
本発明は、更に、粗製バイオディーゼル燃料とグリセリンとを混合した後、グリセリン相を分離して、バイオディーゼル燃料を得ることを含むバイオディーゼル燃料の精製方法を提供するものである。
【００３１】
この精製方法において、対象となる粗製バイオディーゼル燃料は、廃食油から製造されたものに限定されず、新油から製造された粗製バイオディーゼル燃料も対象となる。
【００３２】
この精製方法は、前記の二段反応によるバイオディーゼル燃料の製造方法と組み合わせるとより効果的である。
【００３３】
この精製方法は、反応で生成したバイオディーゼル燃料に含まれるアルカリ金属、水分、低級アルコールを低減することを目的とするものである。
【００３４】
バイオディーゼル燃料の規格によると、除去すべき不純物は、カリウム、水分、メタノール、グリセリンである。これらの中で特にカリウムはその分離が困難な物質である。カリウムがセッケンとしてバイオディーゼル燃料に残存すると、貯蔵タンク内に析出したり、車に供給された後にタンク内に析出するおそれがあるため、できるだけバイオディーゼル燃料中の濃度を下げなければならない。ＥＵ規格では５ｐｐｍとされている。
【００３５】
一般的にはバイオディーゼル燃料を１０〜２０％の水によって水洗することによって、カリウム成分を除去するが、水洗後の排水をそのまま環境に排出することはできないため、水処理施設が必要となり、バイオディーゼル燃料の製造コストを押し上げることとなる。また、水処理によってバイオディーゼル燃料に水が溶解するために、水分除去のためのプロセスも必要となり、加熱に要するエネルギーが余分にかかる。
【００３６】
そこで、本発明の精製方法ではグリセリンを後処理剤として使用することとした。これは、反応でも生成する物質であるため、この処理で使用したグリセリンは反応で生成するグリセリンと混合して前処理剤として利用できる。また、グリセリンは水分や低級アルコールの除去にも効果があるため、この処理後に行う脱水や脱低級アルコールの操作において負荷を小さくすることができる。
【００３７】
ここで用いるグリセリンとしては、市販のグリセリンなどの精製グリセリンを用いることが好ましいが、当該後処理に１回程度使用したものであれば再使用することができ、また前記のエステル交換反応により副生したグリセリンを蒸留等により精製して用いることもできる。グリセリンの使用量は、粗製バイオディーゼル燃料１００重量部に対して、通常３〜２０重量部、好ましくは５〜１０重量部である。
【００３８】
この後処理における処理温度は、通常３０〜６５℃、好ましくは３５〜５５℃であり、混合撹拌時間は、通常１０分〜１時間、好ましくは２０分〜３０分である。
【００３９】
粗製バイオディーゼル燃料とグリセリンを混合撹拌して、静置（静置時間は、通常３０分〜８時間、好ましくは１時間〜６時間）又は遠心分離（通常２０分以下）することによってグリセリンの相が下、バイオディーゼル燃料の相が上に分離する。そこからバイオディーゼル燃料相を取り出すことによって精製バイオディーゼル燃料を得ることができる。
【００４０】
以上のようにして得られた精製バイオディーゼル燃料は、必要に応じて、公知の方法にしたがって、加熱処理を行い、メタノール及び水分を除去する。
【００４１】
前記の前処理、二段反応によるバイオディーゼル燃料の製造方法及び後処理を組み合わせたバイオディーゼル燃料製造プロセスを図２に示す。
【実施例】
【００４２】
以下、実施例を挙げて本発明を更に具体的に説明するが、本発明の範囲はこれらの実施例に限定されるものではない。なお、以下において、酸価、水分量、メタノール濃度及びカリウム濃度の測定は次のようにして行った。
酸価の測定：メタノールとジエチルエーテルの容量比が１：２の混液に測定する油を入れ、フェノールフタレインを指示薬として０．１Ｎ水酸化カリウム水溶液で滴定を行うことによって酸価を求めた。
【００４３】
油相中の水分量の測定：カールフィッシャー水分計（京都電子工業株式会社、ＭＫＡ−６１０−ＳＴ）を使用して、水分の測定を行った。測定原理は容量滴定法である。
メタノール濃度の測定：油相中のメタノールの分析は高速液体クロマトグラフィー（HPLC）によった。カラムにはGPC用のカラム（Shim-pack、GPC-801、株式会社島津製作所）を使用し、テトラヒドロフランを溶媒とし、検出器には示差屈折計を用いた。
カリウム濃度の測定方法：フレーム原子吸光光度計（AAnalyst2000、株式会社パーキンエルマージャパン）を用いた。測定する油をメタノールに溶解させ、それを試料溶液とした。また、既知の濃度の標準溶液を使って検量線を作成し、測定結果よりカリウム濃度を求めた。
【００４４】
（実施例１）
廃食油（混合油；酸価：５．３、水分量０．０９重量％）（以下「サンプルＡ」という。）及び廃食油（混合油；酸価：６．０、水分量０．１９重量％）（以下「サンプルＢ」という。）を、廃食油をエステル交換法（メタノール及び水酸化カリウムを使用）でバイオディーゼル燃料を製造する際に副生された廃グリセリン（カリウム濃度：６．１％、水分量１．２重量％）と混合撹拌後、静置した。
【００４５】
廃グリセリンの使用量は、一回の反応によって発生する量とした。一回前の製造によって生成した廃グリセリンを保存し、次の反応時に使用した。廃食油と廃グリセリンを混合撹拌して、静置することによってグリセリンの相が下、食油の相が上に分離した。そこから上の相である食油を取り出して処理前後の酸価（脂肪酸量）と水分量を測定した。得られた食油は次の反応プロセスに供することになる。前処理の結果を図３に示す。二つのサンプルとも酸価は約１低下し、水分量も約０．０５重量％まで低下することを示し、前処理の効果が示された。
【００４６】
（実施例２）
廃食油又は植物性油を主とする原料油に含まれた脂肪酸を除去するために、バイオディーゼル燃料製造工程（メタノール及び水酸化カリウムを使用）において排出されたグリセリンを使って、原料油の前処理を行った。廃食油（混合油；酸価：３．５、水分量０．０８重量％）３００ｇに対し、排出されたグリセリン（カリウム濃度：６．１％、水分量０．８重量％）５０ｇを混合し、容器中で４０℃、１０分間撹拌した。次に１時間静置した後、下相のグリセリン相を除いた。上相の油相を反応の原料として供した。脂肪酸の含有量を表す指標である酸価は、前処理前に３．５であったものが前処理後には２．０に下がった。
【００４７】
廃食油３００ｇに対して、水酸化カリウム４ｇをメタノール４７ｇに溶解させたものを混合して、５５℃で攪拌混合を１時間行った。その後、攪拌を止めて加温をやめたまま８時間静置した後、二相に分離した上の相に含まれる成分の分析を行ったところ、処理をしない廃食油を原料とすると、未反応分が１１．３％残ったが、前処理をした廃食油を原料とした場合には、未反応分は２．５％であった。
【００４８】
（実施例３）
メチルエステルの収率を高めるためには、多くの文献や実プロセスにおいて、原料の一つであるメタノールを大過剰として反応は行われている。過剰なメタノールは通常フラッシュ蒸留などの方法によって分離回収して再利用されている。本実施例では、小規模な装置においては、このような回収部分を入れないことを可能にするため、添加する過剰なメタノール量を必要な限り少なくなるような条件を探した。
【００４９】
実験装置を図４に示す。セパラブルフラスコに廃食油を３００ｇ入れ、一段目の反応として水酸化カリウム３．６ｇをメタノール４２ｇに溶解させたものを混合して、３７℃で攪拌混合しながら反応を１時間行った。反応終了後、１時間静置した後に分液ロートにて上相のメチルエステル相を分離し、再びセパラブルフラスコに入れた。二段目の反応として水酸化カリウム０．８ｇをメタノール９．３ｇに溶解させたものを混合して、３７℃で攪拌混合しながら反応を１時間行った。その後、８時間静置した後、上相をバイオディーゼル燃料として取り出した。生成物に含まれる成分の分析は高速液体クロマトグラフィー（ＨＰＬＣ）によって行った。使用したカラムはShim-pack GPC-801（株式会社島津製作所）である。
【００５０】
油の未反応分を規格値以下に抑えるための条件を表１に示す。この表には一般的な条件として、文献（藤井ら、日本機械学会第７回環境工学総合シンポジウム‘９７講演論文集、PP.175-178 (1997)）の数値も加えた。反応で消費するメタノールは廃食油１ｋｇ当たり１１０〜１２０ｇであるので、一般的な方法では消費量以上の１８０ｇ程度の未反応メタノールがでてくるが、本条件では５０ｇ程度に抑えることができる。なお、本条件においても、廃グリセリンによる前処理をしない場合には、メタノールは２２０ｇ必要であった。
【００５１】
【表１】
2008024841.tif 000002
【００５２】
（実施例４）
廃食油を原料として製造されたバイオディーゼル燃料からアルカリセッケン及びメタノールを除去するために、グリセリンを使って後処理を行った。実施例２と同様にして水酸化カリウム触媒を使って製造されたバイオディーゼル燃料３００ｇに対し、グリセリン１５ｇを混合し、容器中で４０℃、３０分間撹拌した。次に１時間静置した後、下相のグリセリン相を除いた。処理前のバイオディーゼル燃料中のカリウム濃度は３７４ｐｐｍであったが、処理後には２８ｐｐｍと低下した。また、メタノール濃度は３．３％から１．４％へ低下した。処理後のバイオディーゼル燃料に対して、同じ処理をもう１回行った。この時のカリウム濃度は３ｐｐｍとなり、メタノール濃度は０．５％まで低下した。
【００５３】
（実施例５）
廃食油を原料として製造されたバイオディーゼル燃料からアルカリセッケン及びメタノールを除去するために、グリセリンを使って後処理を行った。実施例２と同様にして水酸化カリウム触媒を使って製造されたバイオディーゼル燃料３００ｇに対し、実施例４の２回目の処理で使用して下相から分離されたグリセリン１５ｇを混合し、容器中で４０℃、３０分間撹拌した。次に１時間静置した後、下相のグリセリン相を除いた。上相のバイオディーゼル燃料３００ｇに対し、グリセリン１５ｇを混合し、容器中で４０℃、３０分間撹拌した。次に１時間静置した後、下相のグリセリン相を除いた。このグリセリンは以降の後処理において、１回目の洗浄に利用することができる。処理前のバイオディーゼル燃料中のカリウム濃度は３８０ｐｐｍであったが、処理後には２６ｐｐｍと低下した。また、メタノール濃度は３．７％から１．１％へ低下した。
【図面の簡単な説明】
【００５４】
【図１】脂肪酸メチルエステル生成反応経路を示す図である。
【図２】前処理、二段反応によるバイオディーゼル燃料の製造方法及び後処理を組み合わせたバイオディーゼル燃料製造プロセスを示す図である。
【図３】前処理の結果を示す図である。
【図４】フラスコ規模での実験装置を示す図である。
【図１】
2008024841.tif 000003
【図２】
2008024841.tif 000004
【図３】
2008024841.tif 000005
【図４】
2008024841.tif 000006